(57)【要約】【課題】既存の床組みの下に敷設することができ、防蟻シートの敷設作業の無駄を減らす。【解決手段】本発明の束石周り用の防蟻シート２は、建築物の束石７の周りの地表を被覆するための束石周り用の防蟻シート２である。とくに、可撓性および防蟻機能を有するシート本体２１を有し、前記シート本体２１が、平面視で前記束石７を囲むような環状を呈しており、かつ、その内側の空間２１ａ内への前記束石７の進入を可能にするように周方向の一部が開閉可能に分断されている。【選択図】図１
2009019447.tif 000002
【特許請求の範囲】
【請求項１】
建築物の束石の周りの地表を被覆するための束石周り用の防蟻シートであって、
可撓性および防蟻機能を有するシート本体を有し、
前記シート本体が、平面視で前記束石を囲むような環状を呈しており、かつ、その内側の空間内への前記束石の進入を可能にするように周方向の一部が開閉可能に分断されている束石周り用の防蟻シート。
【請求項２】
前記シート本体の外周縁の少なくとも一部に、防蟻剤を含む粘着テープが設けられている請求項１記載の束石周り用の防蟻シート。
【請求項３】
前記シート本体の前記分断された端部の少なくとも一方に、その端部同士を接続するための、防蟻剤を含む粘着テープが設けられている請求項１または２記載の束石周り用の防蟻シート。
【請求項４】
前記シート本体は、平面視で略矩形状の輪郭を有し、前記シート本体の周縁の粘着テープは、少なくとも外縁の隣り合う一組の辺に沿って設けられている請求項１、２または３記載の束石周り用の防蟻シート。
【請求項５】
布基礎により囲まれ、かつ、複数の箇所に束石が立設された床下を防蟻するための方法であって、
前記布基礎の内周に沿って帯状の防蟻シートを敷設する第１工程と、
前記各束石の周囲に、請求項１〜４のいずれかに記載の束石周り用の防蟻シートを敷設する第２工程とを含み、
前記第２工程では、前記各束石周り用の防蟻シートの分断された端部同士の間に前記束石を通した後にその端部同士を接合するようにして当該束石周り用の防蟻シートを敷設するとともに、各束石周り用の防蟻シートの外周縁をそれと隣り合う束石周り用の防蟻シートまたは前記帯状の防蟻シートと重なり合わせ、かつ、その重なり部分を相互に接合することを特徴とする床下防蟻方法。
【請求項６】
前記第２工程の前に、前記各束石周り用の防蟻シートの外周縁の少なくとも一部に防蟻剤を含む粘着テープを配置しておき、前記第２工程では、前記粘着テープを用いて前記各束石周り用の防蟻シートの外周縁とこれに重なり合う防蟻シートとを接合することを特徴とする請求項５記載の床下防蟻方法。
【請求項７】
前記帯状の防蟻シートと前記束石周り用の防蟻シートとが重なり合った部分であって、前記帯状の防蟻シートと前記束石周り用の防蟻シートとが前記粘着テープにより接合されていない部分を別のテープにより相互に接合する工程を含む請求項６記載の床下防蟻方法。
【請求項８】
前記布基礎の内側に沿って、および、束石周りに沿って防蟻剤を充填する工程を含む請求項５、６または７記載の床下防蟻方法。
【請求項９】
布基礎により囲まれ、かつ、複数の箇所に束石が立設された床下を防蟻するための構造であって、
前記布基礎の内周に沿って敷設される帯状の防蟻シートと、
前記各束石の周囲に敷設される複数の請求項１〜４のいずれかに記載の束石周り用の防蟻シートとを備え、
前記各束石周り用の防蟻シートの分断された端部同士が接合されているとともに、
前記各束石周り用シートの外周縁がそれと隣り合う束石周り用の防蟻シートまたは前記帯状の防蟻シートと重なり合い、かつ、その重なり部分が相互に接合されていることを特徴とする床下防蟻構造。
【請求項１０】
前記布基礎の内側に沿って、および、束石周りに沿って充填された防蟻剤とを有する請求項９記載の床下防蟻構造。
【発明の詳細な説明】
【技術分野】
【０００１】
本発明は、束石周り用の防蟻シート、該防蟻シートを用いた床下防蟻方法および床下防蟻構造に関する。さらに詳しくは、木造建築の床下が、白蟻によって蝕まれるのを防ぐための束石周り用の防蟻シート、該防蟻シートを用いた床下防蟻方法および床下防蟻構造に関する。
【背景技術】
【０００２】
従来、木造の建築物において、布基礎で囲まれた領域の地表を、防蟻シートで被覆することによって、白蟻による侵蝕を防ぐことが行われている。特許文献１には、布基礎で囲まれた領域内に存在する、束石やパイプなどの構造物の周囲を、簡単に被覆するための防蟻シートが開示されている。この防蟻シートには、シートのほぼ中央に構造物を挿通させるための貫通穴が形成されている。そして、建築物の新築時に、床組みを施工する前の段階で、防蟻シートに形成された貫通穴に、束石やパイプなどの構造物を挿通させて防蟻シートを固定している。
【特許文献１】特開平２−２８５１３２号公報
【発明の開示】
【発明が解決しようとする課題】
【０００３】
しかしながら、上記特許文献１の技術では、建設途中の構造物の上部から被せることによって防蟻シートが敷設されるため、既存の建築物では、床組みが邪魔になって束石やパイプなどの構造物の周囲を被覆するための防蟻シートを敷設することができない。仮に、既存の建築物の床下に特許文献１の防蟻シートを敷設しようとすると、床組みの全て、あるいは、大部分を撤去した状態で防蟻シートを敷設するしかなく、大掛かりな工事になってしまう。
【０００４】
このため、従来は、築後の床下部分を防蟻する際には、作業者自身がその床下に入り込んで防蟻剤を散布する作業を行わなければならず、その作業の負担が大きい。
【０００５】
本発明は、上記従来の問題に鑑みてなされたものであり、既存の床組みの下に敷設することができ、防蟻シートの敷設作業の無駄が少ない束石周り用の防蟻シート、該防蟻シートを用いた床下防蟻方法および床下防蟻構造を提供することを目的としている。
【課題を解決するための手段】
【０００６】
本発明の束石周り用の防蟻シートは、建築物の束石の周りの地表を被覆するための束石周り用の防蟻シートであって、可撓性および防蟻機能を有するシート本体を有し、前記シート本体が、平面視で前記束石を囲むような環状を呈しており、かつ、その内側の空間内への前記束石の進入を可能にするように周方向の一部が開閉可能に分断されていることにより、上記目的が達成される。
【０００７】
また、前記シート本体の外周縁の少なくとも一部に、防蟻剤を含む粘着テープが設けられていることが好ましい。
【０００８】
また、前記シート本体の前記分断された端部の少なくとも一方に、その端部同士を接続するための、防蟻剤を含む粘着テープが設けられていることが好ましい。
【０００９】
また、前記シート本体は、平面視で略矩形状の輪郭を有し、前記シート本体の周縁の粘着テープは、少なくとも外縁の隣り合う一組の辺に沿って設けられていることが好ましい。
【００１０】
さらに、本発明の床下防蟻方法は、布基礎により囲まれ、かつ、複数の箇所に束石が立設された床下を防蟻するための方法であって、前記布基礎の内周に沿って帯状の防蟻シートを敷設する第１工程と、前記各束石の周囲に、上記の束石周り用の防蟻シートを敷設する第２工程とを含み、前記第２工程では、前記各束石周り用の防蟻シートの分断された端部同士の間に前記束石を通した後にその端部同士を接合するようにして当該束石周り用の防蟻シートを敷設するとともに、各束石周り用の防蟻シートの外周縁をそれと隣り合う束石周り用の防蟻シートまたは前記帯状の防蟻シートと重なり合わせ、かつ、その重なり部分を相互に接合することにより、上記目的が達成される。
【００１１】
また、前記第２工程の前に、前記各束石周り用の防蟻シートの外周縁の少なくとも一部に防蟻剤を含む粘着テープを配置しておき、前記第２工程では、前記粘着テープを用いて前記各束石周り用の防蟻シートの外周縁とこれに重なり合う防蟻シートとを接合することが好ましい。
【００１２】
また、前記帯状の防蟻シートと前記束石周り用の防蟻シートとが重なり合った部分であって、前記帯状の防蟻シートと前記束石周り用の防蟻シートとが前記粘着テープにより接合されていない部分を別のテープにより相互に接合する工程を含むことが好ましい。
【００１３】
また、前記布基礎の内側に沿って、および、束石周りに沿って防蟻剤を充填する工程を含むことが好ましい。
【００１４】
さらに、本発明の床下防蟻構造は、布基礎により囲まれ、かつ、複数の箇所に束石が立設された床下を防蟻するための構造であって、前記布基礎の内周に沿って敷設される帯状の防蟻シートと、前記各束石の周囲に敷設される複数の上記の束石周り用の防蟻シートとを備え、前記各束石周り用の防蟻シートの分断された端部同士が接合されるとともに、前記各束石周り用シートの外周縁がそれと隣り合う束石周り用の防蟻シートまたは前記帯状の防蟻シートと重なり合い、かつ、その重なり部分が相互に接合されることにより、上記目的が達成される。
【００１５】
また、前記布基礎の内側に沿って、および、束石周りに沿って充填された防蟻剤とを有することが好ましい。
【発明の効果】
【００１６】
本発明の請求項１の束石周り用の防蟻シートは、平面視で環状のシート本体の周方向の一部が、開閉可能に分断されている。このことにより、地表から突出した束石などに、シート本体を上方から被せるのではなく、シート本体をほぼ水平に移動させて、シート本体の分断されている部分からシート本体の内側の空間へ束石を進入させることが可能であり、既存の床組みの下で束石周り用の防蟻シートを敷設することができるので、床組みを撤去する必要がなく、防蟻シートの敷設作業の無駄が少ない。
【００１７】
また、請求項２の束石周り用の防蟻シートによれば、シート本体の外周縁に粘着テープが設けられていることにより、シート本体を粘着テープにより固定しながら敷設することができるので、敷設作業の最中に、作業者の移動に伴ってシート本体がめくれてしまったり、シート本体が所定の位置からずれてしまったりするのを防ぐことができる。また、敷設作業の最中に粘着テープをセットする必要がないので、狭い床下での作業が容易になる。
【００１８】
また、請求項３の束石周り用の防蟻シートによれば、シート本体の分断された端部同士を接続するための粘着テープが設けられているので、シート本体の分断された隙間を塞ぐことができ、白蟻が防蟻シートの上面に這い上がってくるのを防止できる。また、敷設作業の最中に、作業者の移動に伴ってシート本体がめくれるのを防止することができる。
【００１９】
また、請求項４の束石周り用の防蟻シートによれば、シート本体の輪郭が平面視で略矩形状を呈し、さらに、シート本体の外周縁に設けられる粘着テープの位置を特定することにより、複数の束石周り用の防蟻シートを床下に敷設する場合に、作業の方向性が定まり、床下での防蟻シートの敷設作業を効率よく行うことができる。
【００２０】
さらに、本発明の請求項５の防蟻方法によれば、布基礎の内周に沿って敷設した帯状の防蟻シートと、各束石の周囲に敷設した上記束石周り用の防蟻シートとをその一部が重なるように配設して布基礎によって囲まれた領域を防蟻することにより、既存の床組みの下で束石周り用の防蟻シートを敷設することができるので、床組みを撤去する必要がなく、防蟻シートの敷設作業の無駄が少ない。
【００２１】
また、請求項６の床下防蟻方法によれば、粘着テープを各束石周り用の防蟻シートの外周縁に予め設けることにより、重なり合う防蟻シートの接合作業を効率よく行うことができる。
【００２２】
また、請求項７の床下防蟻方法によれば、別のテープで、帯状の防蟻シートと束石周り用の防蟻シートとが重なりあった部分であって、帯状の防蟻シートと束石周り用の防蟻シートとが粘着テープにより接合されていない部分の隙間を塞ぐことにより、この隙間から白蟻が防蟻シートの上面に這い上がるのを防止することができる。さらに、防蟻シートの隙間をテープによって塞ぐことにより、床下を防湿することができる。
【００２３】
また、請求項８の床下防蟻方法によれば、防蟻剤が、束石周りおよび布基礎の内周という、防蟻シートとの隙間が生じ易い箇所に沿って充填されることにより、白蟻が防蟻シートの上面に這い上がるのを確実に防止することができる。
【００２４】
さらに、本発明の請求項９の床下防蟻構造によれば、布基礎の内周に沿って敷設した帯状の防蟻シートと、各束石の周囲に敷設した束石周り用の防蟻シートとが、その一部が重なるように配設されているので、布基礎によって囲まれた領域を隙間なく防蟻することができる。
【００２５】
また、請求項１０の床下防蟻構造によれば、防蟻剤が、束石周りおよび布基礎の内周という、防蟻シートとの隙間が生じ易い箇所に沿って充填されていることにより、白蟻が防蟻シートの上面に這い上がるのを確実に防止することができる。
【発明を実施するための最良の形態】
【００２６】
本発明の束石周り用の防蟻シートは、建築物の束石の周りの地表を被覆するための束石周り用の防蟻シートである。とくに、可撓性および防蟻機能を有するシート本体を有し、シート本体が、平面視で束石を囲むような環状を呈しており、かつ、その内側の空間内への束石の進入を可能にするように周方向の一部が開閉可能に分断されている。
【００２７】
ここで、本明細書中で束石とは、布基礎によって囲まれた領域内に地表から突出するように設けられたものを意味しており、束石、鉄筋コンクリートなどの独立基礎、パイプなどの配管を含む概念である。
【００２８】
以下で、本発明の束石周り用防蟻シート、該防蟻シートを用いた床下防蟻方法および床下防蟻構造について、図面を用いて詳細に説明する。
【００２９】
（実施の形態１）
実施の形態１の束石周り用の防蟻シート（以下、束石周り用防蟻シートという）２は、木造建築物の床下において、地表から突出するように設けられた束石の周囲を被覆して、白蟻が地面から床組みまで這い上がるのを防ぐ。図１は、実施の形態１の防蟻シートを説明するための斜視図であり、（ａ）は、束石などの周りに敷設する束石周り用防蟻シート２を示している。束石周り用防蟻シート２は、図１（ａ）に示されるように、可撓性および防蟻機能を有するシート本体２１と、シート本体２１に設けられた粘着テープ２２とから構成されている。
【００３０】
シート本体２１は、図１（ａ）に示されるように、平面視で環状を呈しており、さらに、その輪郭は平面視で略矩形状を呈している。また、シート本体２１は、その周方向の一部が開閉可能に分断されている。具体的には、シート本体２１の輪郭は、略正方形状を呈している。また、本体２１の内周縁の輪郭は、略矩形状を呈している。本実施の形態では、シート本体２１によって、平面視で略矩形状の束石が囲まれる。また、シート本体２１は、その一箇所でシート本体２１の外縁から内縁に向けて（内縁から外縁へ向けて）分断されている。したがって、シート本体２１には、端部ｓが形成される。束石周り用防蟻シート２を束石の周りに配設する際には、束石を、端部ｓの間を通過させて、束石周り用防蟻シート２の内側の空間２１ａ内へ進入させる。
【００３１】
また、本実施の形態では、日本古来の標準化された寸法に準拠して、防蟻シートのサイズを特定している。図２は、床下の布基礎６および束石７の配置間隔を説明するための床下の平面図である。図２に示されるように、束石７は布基礎６によって囲まれた領域内に所定の間隔で配置されている。この間隔は、日本古来の標準化された寸法である。一般的に、日本の建築物は、隣り合う束石７の中心間隔ｄ１が、１間（約１８１０ｍｍ）の半分、すなわち、約９００ｍｍ程度になるように設計され、束石７と布基礎６との中心間隔ｄ２についても同様に、約９００ｍｍ程度になるように設計されている。
【００３２】
シート本体２１の１辺の長さは、９００ｍｍ以上であることが好ましい。１辺の長さが、９００ｍｍ未満であると、防蟻シート同士を重ねることができず、地表を隙間無く被覆することが困難になる。また、１辺の長さは、１２００ｍｍ以下であることがより好ましい。１辺の長さが、１２００ｍｍを超えると、床下でのシート本体２１の持ち運びが困難になり、また、防蟻シートの重なり部分が必要以上に大きくなるため、防蟻シートを浪費してしまう。本実施の形態では、シート本体２１の１辺の長さが、１０００ｍｍのものを使用している。これにより、複数の防蟻シートを床下に敷き詰めた場合に、隣り合う防蟻シートの間に隙間が発生したり、あるいは、隣り合う防蟻シートの重なり部分の面積が不必要なまでに大きくなってしまうなどの不都合が生じない。
【００３３】
シート本体２１の材質としては、とくに限定されるものではなく、従来から防蟻シートに用いられているものを使用することができる。たとえば、ＥＶＡ（エチレン−酢酸ビニル共重合体）、低密度ポリエチレン等のポリエチレン・ポリプロピレン・エチレン−ａオレフィン共重合体等に代表されるオレフィン系素材、ＰＶＣ（ポリ塩化ビニル）、ＡＢＳ樹脂、ポリスチレン、アクリル樹脂等があげられる。とくに、ＥＶＡ、低密度ポリエチレン、軟質ＰＶＣといった柔軟性に富んだ材料は、設置作業時の折り曲げ等が容易であるため、作業性向上の観点から好ましい。さらに、これらの防蟻シートの防蟻効果を高めるべく、上記のシート材にプレスロイド様殺虫剤やプレスロイド系殺虫剤や有機リン系殺虫剤等に代表される防蟻薬剤を練り込んでもよい。
【００３４】
粘着テープ２２は、片面のみに粘着面が施され、その粘着面に防蟻剤を含む粘着テープである。粘着テープ２２は、図１（ａ）に示されるように、シート本体２１の表側（地表に接しない側）に、粘着テープ２２の幅のほぼ半分が、シート本体２１の外縁から突出するように、シート本体２１の外縁に沿って貼り付けられている。
【００３５】
粘着テープ２２は、シート本体２１の貼り付け位置に応じて、第１粘着テープ２２ａと、第２粘着テープ２２ｂと、第３粘着テープ２２ｃとに分けられる。具体的には、シート本体２１の外縁の隣り合う一組の辺であって、シート本体２１が分断された端部ｓの存在しない辺、すなわち、図１（ａ）では、上辺２Ａに沿って、第１粘着テープ２２ａが設けられ、左辺２Ｂに沿って、第２粘着テープ２２ｂが設けられている。また、シート本体２１の分断されたいずれか一方の端部ｓに第３粘着テープ２２ｃが設けられている。第１粘着テープ２２ａおよび第２粘着テープ２２ｂが他の防蟻シートとシート本体２１とを接合するものであるのに対し、第３粘着テープ２２ｃは、シート本体２１の分断された端部ｓ同士を接合するものである。
【００３６】
このように、シート本体２１の外周縁に設けられる第１粘着テープ２２ａおよび第２粘着テープ２２ｂの位置を特定することにより、防蟻シートの敷設作業の方向性が定まる。
【００３７】
さらに、この粘着テープ２２は、防蟻シートと防蟻シートとを接合する機能のほかに、防蟻シートと防蟻シートとの隙間を粘着テープ２２により塞ぐ機能をも有する。これにより、白蟻が防蟻シートの上面に這い上がってくるのを防ぐことができ、加えて、床下を防湿することができる。
【００３８】
つぎに、本実施の形態の束石周り用防蟻シート２を用いた床下防蟻方法および床下防蟻構造について以下で説明する。本実施の形態の床下防蟻構造は、（１）布基礎周り防蟻シート３の敷設、（２）束石周り用防蟻シート２の敷設、（３）被覆テープ４１の貼り付けおよび（４）防蟻剤ｂの充填を経て、設置される。
【００３９】
（１）布基礎周り防蟻シート３の敷設
図３は、布基礎の内周に沿って帯状の防蟻シートを敷設する工程を説明するための床下の平面図である。
【００４０】
まず、作業者は、床下に潜り込んで、布基礎の内周に沿って、帯状の防蟻シート（以下、布基礎周り防蟻シートという）３を敷設する。布基礎周り防蟻シート３としては、とくに限定されるものではなく、たとえば、幅が４００〜６００ｍｍ程度の、従来から防蟻シートとして用いられているものを使用することができる。本実施の形態では、幅が５００ｍｍの布基礎周り防蟻シートを用いている。図１（ｂ）は、布基礎周り防蟻シート３を説明するための斜視図である。作業者は、図１（ｂ）に示されるようなロール状に巻かれた布基礎周り防蟻シート３を床下の敷設箇所まで持ち運び、布基礎６の長手方向に沿って転がしながら布基礎周り防蟻シート３を配置する。
【００４１】
具体的には、図３に示されるように、最初に、布基礎６１の長手方向に沿って布基礎周り防蟻シート３を配置する。そして、布基礎６１に沿って配置された布基礎周り防蟻シート３の布基礎側の３箇所に、くぎ５を布基礎周り防蟻シート３の表面から地面に打ち込むことにより、布基礎周り防蟻シート３を固定する。
【００４２】
つぎに、布基礎６２または布基礎６４のそれぞれに、長手方向に沿って布基礎周り防蟻シート３を配置する。このとき、布基礎６１に沿って先に敷設された布基礎周り防蟻シート３の上に、布基礎６２または布基礎６４に沿って後に配置される布基礎周り防蟻シート３の端部が重なるように配置する。そして、布基礎６２または布基礎６４に沿って配置された布基礎周り防蟻シート３の布基礎側の３箇所に、くぎ５を布基礎周り防蟻シート３の表面から地面に打ち込むことにより、布基礎周り防蟻シート３を固定する。
【００４３】
最後に、布基礎６３の長手方向に沿って布基礎周り防蟻シート３を配置する。このとき、布基礎６２および布基礎６４に沿って先に敷設された布基礎周り防蟻シート３の上に、布基礎６３に沿って後に配置される布基礎周り防蟻シート３の端部が重なるように配置する。そして、布基礎６３に沿って配置された布基礎周り防蟻シート３の布基礎側の３箇所に、くぎ５を布基礎周り防蟻シート３の表面から地面に打ち込むことにより、布基礎周り防蟻シート３を固定する。このようにして、布基礎６の内周側に沿った部分の地表が布基礎周り防蟻シート３によって覆われる。
【００４４】
（２）束石周り用防蟻シート２の敷設
図４は、束石７の周りに束石周り用防蟻シート２を敷設する工程について説明するための床下の平面図である。はじめに、布基礎６の入角部に最も近い位置にある束石７１の周りの地表を、束石周り用防蟻シート２で被覆する。作業者は、束石周り用防蟻シート２を束石７１の位置まで運ぶ。まず、束石７１がシート本体２１の分断された端部ｓの間を通過するようにして、束石７１を束石周り用防蟻シート２の内側空間２１ａ内に進入させて、束石周り用防蟻シート２を束石７１の周囲に配備する。次いで、束石周り用防蟻シート２の上辺２Ａが、布基礎６４に沿って先に敷設された布基礎周り防蟻シート３の上に重なるように、かつ、束石周り用防蟻シート２の左辺２Ｂが、布基礎６１に沿って先に敷設された布基礎周り防蟻シート３上に重なるように、束石周り用防蟻シート２を配置する。最後に、束石周り用防蟻シート２の上辺２Ａに設けられた第１粘着テープ２２ａの剥離紙を剥がし取りながら、第１粘着テープ２２ａを、布基礎６４に沿って敷設された布基礎周り防蟻シート３に貼り付ける。また、束石周り用防蟻シート２の左辺２Ｂに設けられた第２粘着テープ２２ｂの剥離紙を剥がし取りながら、第２粘着テープ２２ｂを、布基礎６１に沿って敷設された布基礎周り防蟻シート３に貼り付ける。さらに、シート本体２１の分断された部分を、端部ｓに沿って設けられた第３粘着テープ２２ｃで接合する。
【００４５】
つぎに、束石７１に隣り合う束石７２または束石７４の周りの地表を覆うように、それぞれ、束石７１に束石周り用防蟻シート２を敷設した時と同じ手順で、束石周り用防蟻シート２を敷設する。このとき、束石７２の周りに敷設する束石周り用防蟻シート２の上辺２Ａが、布基礎６４に沿って先に敷設された布基礎周り防蟻シート３の上に重なるように、かつ、左辺２Ｂが、束石７１の周りに先に敷設された束石周り用防蟻シート２の右辺２Ｄ側の上に重なるように、束石周り用防蟻シート２を配置する。また、束石７４の周りに敷設する束石周り用防蟻シート２の上辺２Ａが、布基礎６１に沿って先に敷設された布基礎周り防蟻シート３の上に重なるように、かつ、左辺２Ｂが、束石７１の周りに先に敷設された束石周り用防蟻シート２の下辺２Ｃ側の上に重なるように、束石周り用防蟻シート２を配置する。
【００４６】
束石７３、束石７５、束石７６についても同様に、先に敷設された隣接する防蟻シートの上に、束石周り用防蟻シート２の第１粘着テープ２２ａおよび第２粘着テープ２２ｂが施された隣り合う１組の辺を重ねて敷設していく。したがって、防蟻シートの敷設作業は、図４の紙面左上から紙面右下へ向けて行われる。
【００４７】
このように、敷設作業を、防蟻シートを固定しながら方向性を持って行うことにより、作業者の移動に伴って、一度所定の位置に配置した防蟻シートがずれてしまったり、めくれあがったりすることなく、効率よく作業を進めることができる。
【００４８】
（３）被覆テープ４１の貼り付け
図５は、各束石７１〜７６の周りに束石周り用防蟻シート２を敷設し終えた状態を説明するための床下の平面図である。図５中の点影で示される部分は、粘着テープ２２が施されている箇所を示している。図５に示されるように、束石周り用防蟻シート２を敷設し終えた段階で、束石７４、束石７５、束石７６の周囲に敷設された束石周り用防蟻シート２の下辺２Ｃの部分と、布基礎６２に沿って敷設された布基礎周り防蟻シート３とは接合されていない。また、束石周り用防蟻シート２を敷設し終えた段階で、束石７６、束石７３の周囲に敷設された束石周り用防蟻シート２の右辺２Ｄの部分と、布基礎６３に沿って敷設された布基礎周り防蟻シート３とは接合されていない。したがって、白蟻が防蟻シート上に這い上がるのを防止するために、布基礎周り防蟻シート３と束石周り用防蟻シート２とが重なり合った部分であって、布基礎周り防蟻シート３と束石周り用防蟻シート２とが粘着テープ２２によって接合されていない部分を別の被覆テープ４１により相互に接合する必要がある。
【００４９】
図６は、被覆テープ４１の貼り付け箇所を説明するための床下の平面図である。図６中の点影で示される部分は、被覆テープ４１が施されている部分を示している。図６に示されるように、作業者は、防蟻機能を有する被覆テープ４１を、束石７４の周りの束石周り用防蟻シート２の下辺２Ｃ、束石７５の周りの束石周り用防蟻シート２の下辺２Ｃ、束石７６の周りの束石周り用防蟻シート２の下辺２Ｃに沿って貼り付ける。また、作業者は、被覆テープ４１を、束石７３の周りの束石周り用防蟻シート２の右辺２Ｄ、束石７６の周りの束石周り用防蟻シート２の右辺２Ｄに沿って貼り付ける。また、作業者は、適宜、布基礎周り防蟻シート３同士が重なり合っている部分にも、被覆テープ４１を貼り付ける。このように、防蟻シート同士が重なり合った部分であって、粘着テープによって接合されていない部分を、別のテープで被覆することにより、白蟻の侵入を防ぐとともに、地面からの湿気を遮断して、床下を防湿することができる。
【００５０】
（４）防蟻剤ｂの充填
最後に、各束石の表面とシート本体２１の内周縁との隙間、および、布基礎６の内周面と布基礎周り防蟻シート３の側縁との隙間から、白蟻が防蟻シートの上に這い上がるのを防ぐために、これらの隙間に沿って防蟻剤を充填する。図７（ａ）は、防蟻剤ｂの充填前の束石周り用防蟻シート２１と束石７を示す断面図であり、（ｂ）は、防蟻剤ｂを束石７の外周面に沿って充填した状態を示す断面図であり、（ｃ）は、束石周り用防蟻シート２の縁をくぎ５で固定した状態を示す断面図である。
【００５１】
図７（ｂ）に示されるように、防蟻剤ｂの溜まり部を作るために、作業者は、防蟻シートの縁をめくり上げて、地面Ｇを束石７の外周面に沿って若干掘り下げる。そして、この掘り下げて形成された防蟻剤ｂの溜まり部に沿って、防蟻剤ｂを充填する。防蟻剤ｂとしては、とくに限定されるものではなく、従来から防蟻剤として用いられている薬液を使用することができる。
【００５２】
つぎに、図７（ｃ）に示されるように、作業者は、充填した防蟻剤ｂの上から束石周り用防蟻シート２の縁を被せる。そして最後に、防蟻シートの縁をくぎ５で地面Ｇに固定して床下防蟻構造が完成する。
【００５３】
以上の実施の形態によれば、束石周り用防蟻シート２は、平面視で環状のシート本体２１の一部が、開閉可能に分断されている。このことにより、地表から突出した束石などにシート本体２１を上方から被せるのではなく、シート本体２１をほぼ水平に移動させて、シート本体２１の分断されている部分からシート本体２１の内側の空間へ束石を進入させることが可能である。したがって、既存の床組みの下で束周り用の防蟻シートを敷設することができるので、既存の床組みをわざわざ撤去する必要がなく、防蟻シートの敷設作業の無駄を減らすことができる。
【００５４】
なお、上記実施の形態１では、束石周り用防蟻シート２が平面視で略四角形を呈している形態について説明したが、本発明はこれに限定されるものではなく、束石周り用防蟻シートが、平面視で略三角形、略五角形、略六角形などの多角形であってもよい。
【００５５】
また、上記実施の形態１では、各束石の間隔および束石と布基礎との間隔が、全て等間隔である形態について説明したが、本発明はこれに限定されるもではなく、図８に示されるように、土間８などが設けられて、束石と布基礎との間隔が、一部異なる場合にも、対応することが可能である。この場合、束石周り用防蟻シートを一部切り取って使用したり、帯状の布基礎周り防蟻シートを適宜活用して使用してもよい。
【００５６】
また、上記実施の形態１では、本発明の束石周り用防蟻シート２を既存の木造建築物の床下に敷設した場合について説明したが、本発明はこれに限定されるものではなく、建築物を新築または改築する場合などに、床組みが形作られる前の段階で本発明の束石周り用防蟻シートを敷設してもよい。
【００５７】
また、上記実施の形態１では、束石周り用防蟻シート２の２辺に沿って第１粘着テープ２２ａ、第２粘着テープ２２ｂを設けた形態について説明したが、本発明はこれに限定されるものではなく、粘着テープを防蟻シート２の３辺または４辺に沿って設けてもよい。
【００５８】
また、上記実施の形態１では、束石周り用防蟻シート２に予め粘着テープ２２が設けられている形態について説明したが、本発明はこれに限定されるものではなく、粘着テープは、束石周り用防蟻シートを配置した後に設けてもよい。
【００５９】
また、上記実施の形態１では、シート本体２１の内周縁の輪郭が平面視で略矩形状を呈している場合について説明したが、本発明はこれに限定されるものではなく、束石の平面形状に応じて、シート本体２１の内周縁の輪郭を、多角形状、楕円形状、円形状などにしてもよい。
【００６０】
また、上記実施の形態１では、束石が約９００ｍｍ間隔で配置されている場合について説明したが、本発明はこれに限定されるものではなく、本発明の束周り用防蟻シート２を束石が約１８００ｍｍ（一間）間隔で配置されている場合に用いてもよい。この場合、束石周り用防蟻シートと束石周り用防蟻シートとの間に帯状の防蟻シートを２列並べて敷設することになる。
【００６１】
また、上記実施の形態１では、束石周り用防蟻テープ２の分断された端部ｓに跨るように第３粘着テープ２２ｃを配置して、分断された端部ｓを接合している形態について説明したが、本発明はこれに限定されるものではなく、両面に粘着面を有するテープを、分断された端部ｓのいずれか一方に設け、端部ｓ同士が重なるようにして束周り用防蟻テープ２の分断された端部ｓを接合してもよい。
【図面の簡単な説明】
【００６２】
【図１】実施の形態１の防蟻シートを説明するための斜視図であり、（ａ）は、束石の周りに敷設する束石周り用防蟻シートを示し、（ｂ）は、布基礎の内周に沿って敷設する布基礎周り防蟻シートを示す。
【図２】床下の布基礎６および束石７の配置間隔を説明するための床下の平面図である。
【図３】実施の形態１の束石周り用防蟻シートを用いた床下防蟻方法を説明するための床下の平面図であり、布基礎の内側に沿って布基礎周り防蟻シートを敷設した状態を示している。
【図４】実施の形態１の束石周り用防蟻シートを用いた床下防蟻方法を説明するための床下の平面図であり、束石の周りに束石周り用防蟻シートを敷設する順序を説明するための図である。
【図５】実施の形態１の束石周り用防蟻シートを用いた床下防蟻方法を説明するための床下の平面図であり、全ての束石の周りに束石周り用防蟻シートを敷設し終えた状態を示している。
【図６】実施の形態１の束石周り用防蟻シートを用いた床下防蟻方法を説明するための床下の平面図であり、布基礎の内側に沿って敷設された布基礎周り防蟻シートと束石の周りに敷設された束石周り用防蟻シートとの境界部を被覆する被覆テープを貼り付ける箇所を示している。
【図７】実施の形態１の束石周り用防蟻シートを用いた床下防蟻方法において、防蟻シートと基礎との隙間に防蟻用の薬液を充填する手順を説明するための断面図であり、（ａ）は、薬液を塗布する前の状態を示し、（ｂ）は、薬液を充填した状態を示し、（ｃ）は、薬液を充填した上で防蟻シートを地面に固定した状態を示している。
【図８】本発明の束石周り用防蟻シートを用いた床下防蟻方法の他の例を説明するための床下の平面図である。
【符号の説明】
【００６３】
２  束石周り用防蟻シート（束石周り用の防蟻シート）
２１  シート本体
２２  粘着テープ
２２ａ  第１粘着テープ（シート本体の外周縁に設けられた粘着テープ）
２２ｂ  第２粘着テープ（シート本体の外周縁に設けられた粘着テープ）
２２ｃ  第３粘着テープ（端部同士を接続するための粘着テープ）
３  布基礎周り防蟻シート（帯状の防蟻シート）
４１  被覆テープ（別のテープ）
６、６１、６２、６３、６４  布基礎
７、７１、７２、７３、７４、７５、７６  束石
ｓ  端部
【図１】
2009019447.tif 000003
【図２】
2009019447.tif 000004
【図３】
2009019447.tif 000005
【図４】
2009019447.tif 000006
【図５】
2009019447.tif 000007
【図６】
2009019447.tif 000008
【図７】
2009019447.tif 000009
【図８】
2009019447.tif 000010